(57)【要約】  アナログ電子時計は、時計内部時刻を有し、時計内部時刻に基づいて指針群の回転を制御する。端末機器は、指針群２６ｂ〜２６ｅの回転を停止させ、撮像部により指針文字板画像Ｐを生成し、指針文字板画像Ｐの一部である識別エリアＡＳ〜ＡＤ内で指針群２６ｂ〜２６ｅの現在表示位置を検出し、現在表示位置に基づいて現在表示時刻情報を生成し、現在表示時刻情報と時計内部時刻情報との差分に基づいた表示時刻補正情報を生成する。アナログ電子時計は、表示時刻補正情報に基づいて、指針群２６ｂ〜２６ｅの表示位置を補正する。表示時刻補正に要する時間を削減することができるアナログ電子時計システムおよびアナログ電子時計を提供する。
2018181467.tif 000002
【特許請求の範囲】
【請求項１】
インデックスが形成された文字板と、
前記文字板上を回転する１以上の指針と、
を有するアナログ電子時計と、
外部と少なくとも時刻に関する時刻情報を送受信することができる端末側通信部と、
前記文字板を撮像し、前記指針および前記文字板に対応する画像を含む指針文字板画像を生成する撮像部と、
前記指針文字板画像の前記インデックスに基づいて前記指針の現在表示位置を検出し、前記現在表示位置に基づいて現在表示時刻情報を生成し、前記現在表示時刻情報と、前記アナログ電子時計から受信した時計内部時刻情報との差分に基づいた表示時刻補正情報を生成する端末側制御部と、
を有する端末機器と、
を備え、
前記端末側制御部は、
前記撮像部による撮像を行う前に、前記指針の回転を停止する回転停止信号を前記アナログ電子時計に出力し、
前記指針文字板画像の一部であり、
前記時計内部時刻情報に基づいた前記指針の予定表示位置と、
前記インデックスと、
を含む識別エリア内で前記指針の現在表示位置を検出し、
前記表示時刻補正情報を前記アナログ電子時計に出力し、
前記アナログ電子時計は、
前記回転停止信号に基づいて、前記指針の回転を停止し、
前記表示時刻補正情報に基づいて、前記指針の表示位置を補正する、
ことを特徴とするアナログ電子時計システム。
【請求項２】
請求項１に記載のアナログ電子時計システムにおいて、
２以上の前記指針のうち、前記指針と前記インデックスとの相対位置が他の前記指針に対して離れている前記指針に対応する前記識別エリアは、他の前記指針に対応する前記識別エリアよりも、前記指針の回転半径方向において広い、
アナログ電子時計システム。
【請求項３】
請求項１または２に記載のアナログ電子時計システムにおいて、
２以上の前記指針のうち、１回の回転量が他の前記指針に対して少ない前記指針に対応する前記識別エリアは、他の前記指針に対応する前記識別エリアよりも、前記指針の回転方向において狭い、
アナログ電子時計システム。
【請求項４】
請求項１〜３のいずれか１つに記載のアナログ電子時計システムにおいて、
前記端末側制御部は、前記識別エリア内で前記指針の現在表示位置を検出することができないと判断すると、前記識別エリアを拡大する、
アナログ電子時計システム。
【請求項５】
請求項１〜４のいずれか１つに記載のアナログ電子時計システムにおいて、
前記端末機器は、表示面と、前記表示面に対するユーザーによる操作入力位置を検出するタッチパネル部を有し、
前記端末側制御部は、
前記識別エリアを決定する前に、
前記表示面に対して、前記指針文字板画像を表示するとともに、前記文字板における１２時に対応するインデックス位置に対して操作入力を促し、
前記操作入力がされたと判断すると、前記時計内部時刻情報および前記指針文字板画像に対する操作入力位置情報に基づいて前記識別エリアを決定する
アナログ電子時計システム。
【請求項６】
請求項１〜５のいずれか１つに記載のアナログ電子時計システムにおいて、
前記端末機器は、表示面と、前記表示面に対するユーザーによる操作入力位置を検出するタッチパネル部を有し、
前記端末側制御部は、
前記指針の現在表示位置を検出する前に、
前記表示面に対して、前記端末機器に予め記憶されているアナログ電子時計ごとの指針および文字板に関する形状情報を含む指針文字板情報と関連づけられたアナログ電子時計識別画像を前記表示面に複数表示するとともに、複数の前記アナログ電子時計識別画像のうち１つを選択する操作入力を促し、
前記操作入力がされたと判断すると、複数の前記アナログ電子時計識別画像のうち、前記操作入力位置に対応する前記アナログ電子時計識別画像と関連する前記指針文字板情報に基づいて前記識別エリア内における前記指針の現在表示位置を検出する、
アナログ電子時計システム。
【請求項７】
インデックスが形成された文字板と、
前記文字板上を回転する１以上の指針と、
前記指針を回転させる駆動機構部と、
外部と少なくとも時刻に関する時刻情報を送受信することができる時計側通信部と、
少なくとも、時計内部時刻を有し、前記時計内部時刻に基づいて前記駆動機構部による前記指針の回転駆動を制御する時計側制御部と、
を備え、
前記時計側制御部は、
端末機器からの回転停止信号に基づいて、前記駆動機構部による前記指針の回転を停止し、
前記指針および前記文字板に対応する画像を含む指針文字板画像の一部であり、
時計内部時刻情報に基づいた前記指針の予定表示位置と、
前記インデックスと、
を含む識別エリア内で検出された前記指針の現在表示位置に基づいて生成された現在表示時刻情報と、アナログ電子時計から受信した時計内部時刻情報との差分に基づいた前記端末機器からの表示時刻補正情報に基づいて、前記指針の表示位置を補正する、
ことを特徴とするアナログ電子時計。
【発明の詳細な説明】
【技術分野】
【０００１】
本発明は、アナログ電子時計システムおよびアナログ電子時計に関する。
【背景技術】
【０００２】
ユーザーが所有する端末機器と、無線通信を介して、時刻に関する時刻情報等の情報を送受信することができるアナログ電子時計が提案されている。アナログ電子時計は、ステップモータにより秒針、分針、時針および日板などの指針群を回転させることにより、内部時刻に基づいた表示位置に指針群を位置させることで、ユーザーに現在時刻を認識させるものである。【０００３】
ところで、アナログ電子時計は、各種の外的要因により、指針群がずれる場合がある。指針群がずれている場合は、現在内部時刻と、指針群の現在表示位置に基づいた現在表示時刻とがずれることとなる。このため、アナログ電子時計では、表示時刻の補正機能が備わっている（特許文献１参照）。従来、表示時刻補正を行う場合は、指針群を現在表示位置から基準位置となるまで、指針群の位置情報に基づいて回転させている。ユーザーによる手動補正の場合は、ユーザーの指示により、表示時刻補正が開始されると、現在位置情報と、基準位置に対応する基準位置情報とを比較し、指針群を基準位置情報に基づいた表示位置まで回転させ、アナログ電子時計の操作部を操作し、指針群が基準位置とずれている場合は、基準位置となるように指針群を調整し、ユーザーの指示により、指針群を内部時刻に基づいて回転させる。また、端末機器による自動補正の場合も、同様に、ユーザーの指示により、指針群を基準位置情報に基づいた表示位置まで回転させ、ユーザーが端末機器により指針群を含めて文字板を撮像して、生成された画像における指針群の表示位置を認識し、指針群が基準位置とずれていると判断すると、表示時刻補正情報をアナログ電子時計に送信し、表示時刻補正情報を受信したアナログ電子時計が表示時刻補正情報に基づいて、指針群が基準位置となるように自動的に調整し、ユーザーの指示により、指針群を内部時刻に基づいて回転させる。
【先行技術文献】
【特許文献】
【０００４】
【特許文献１】特開２０１５−７８９４３号公報
【発明の概要】
【発明が解決しようとする課題】
【０００５】
上記アナログ電子時計の表示時刻補正では、指針群を基準位置情報に基づいた表示位置まで回転させることが、補正を行うための条件となっている。指針群の現在表示位置に対応する時刻と基準位置に対応する時刻とが大きく離れている場合は、指針群を基準位置情報に基づいた表示位置まで回転するための回転動作時間および指針群を基準位置から現在内部時刻に対応する表示位置まで回転するための回転動作時間が長くなる。したがって、表示時刻補正に要する時間が長くなり、アナログ電子時計として本来の機能を発揮できない時間が長くなり、ユーザーの不利益となるおそれがあった。【０００６】
本発明は、上記に鑑みてなされたものであって、表示時刻補正に要する時間を削減することができるアナログ電子時計システムおよびアナログ電子時計を提供することを目的とする。
【課題を解決するための手段】
【０００７】
上述した課題を解決し、目的を達成するために、本実施形態におけるアナログ電子時計システムは、インデックスが形成された文字板と、前記文字板上を回転する１以上の指針と、を有するアナログ電子時計と、外部と少なくとも時刻に関する時刻情報を送受信することができる端末側通信部と、前記文字板を撮像し、前記指針および前記文字板に対応する画像を含む指針文字板画像を生成する撮像部と、前記指針文字板画像の前記インデックスに基づいて前記指針の現在表示位置を検出し、前記現在表示位置に基づいて現在表示時刻情報を生成し、前記現在表示時刻情報と、前記アナログ電子時計から受信した時計内部時刻情報との差分に基づいた表示時刻補正情報を生成する端末側制御部と、を有する端末機器と、を備え、前記端末側制御部は、前記撮像部による撮像を行う前に、前記指針の回転を停止する回転停止信号を前記アナログ電子時計に出力し、前記指針文字板画像の一部であり、前記時計内部時刻情報に基づいた前記指針の予定表示位置と、前記インデックスと、を含む識別エリア内で前記指針の現在表示位置を検出し、前記表示時刻補正情報を前記アナログ電子時計に出力し、前記アナログ電子時計は、前記回転停止信号に基づいて、前記指針の回転を停止し、前記表示時刻補正情報に基づいて、前記指針の表示位置を補正する、ことを特徴とする。【０００８】
また、上述した課題を解決し、目的を達成するために、本実施形態におけるアナログ電子時計は、インデックスが形成された文字板と、前記文字板上を回転する１以上の指針と、前記指針を回転させる駆動機構部と、外部と少なくとも時刻に関する時刻情報を送受信することができる時計側通信部と、少なくとも、時計内部時刻を有し、前記時計内部時刻に基づいて前記駆動機構部による前記指針の回転駆動を制御する時計側制御部と、を備え、前記時計側制御部は、端末機器からの回転停止信号に基づいて、前記駆動機構部による前記指針の回転を停止し、前記指針および前記文字板に対応する画像を含む指針文字板画像の一部であり、時計内部時刻情報に基づいた前記指針の予定表示位置と、前記インデックスと、を含む識別エリア内で検出された前記指針の現在表示位置に基づいて生成された現在表示時刻情報と、アナログ電子時計から受信した時計内部時刻情報との差分に基づいた前記端末機器からの表示時刻補正情報に基づいて、前記指針の表示位置を補正する、ことを特徴とする。
【発明の効果】
【０００９】
本発明におけるアナログ電子時計システムおよびアナログ電子時計は、表示時刻補正を行う際に、指針の回転を停止し、指針文字板画像の一部である識別エリア内で指針の現在位置を検出するので、指針を基準位置情報に基づいて回転させずに表示時刻補正を行うことができる。また、指針文字板画像の全エリア内で指針の表示位置を検出することなく表示時刻補正を行うことができる。これらにより、表示時刻補正に要する時間を削減することができるという効果を奏する。
【図面の簡単な説明】
【００１０】
【図１】図１は、実施形態におけるアナログ電子時計システムの全体構成図である。
【図２】図２は、実施形態におけるアナログ電子時計のブロック図である。
【図３】図３は、実施形態における端末機器のブロック図である。
【図４】図４は、端末機器により撮像された指針文字板画像および識別エリア（通常）を示す図である。
【図５】図５は、実施形態におけるアナログ電子時計システムによる表示時刻補正処理のシーケンス図である。
【図６】図６は、端末機器における表示時刻補正処理のフロー図である。
【図７】図７は、アナログ電子時計における表示時刻補正処理のフロー図である。
【図８】図８は、指針文字板画像に対する識別エリア（拡大）の説明図である。
【図９】図９は、変形例における指針文字板画像に対する識別エリアの説明図である。
【図１０】図１０は、変形例における指針文字板画像に対する識別エリアの説明図である。
【図１１】図１１は、変形例における端末機器の表示面に対する注意表示画像の表示例を示す図である。
【図１２】図１２は、変形例における端末機器の表示面に対する注意表示画像の表示例を示す図である。
【発明を実施するための形態】
【００１１】
以下、本発明につき図面を参照しつつ詳細に説明する。なお、下記の実施形態により本発明が限定されるものではない。また、下記の実施形態における構成要素には、当業者が容易に想定できるものあるいは実質的に同一のものが含まれる。
【００１２】
〔実施形態〕
図１は、実施形態におけるアナログ電子時計システムの全体構成図である。図２は、実施形態におけるアナログ電子時計のブロック図である。図３は、実施形態１における端末機器のブロック図である。図４は、端末機器により撮像された指針文字板画像および識別エリア（通常）を示す図である。
【００１３】
実施形態にかかるアナログ電子時計システム１は、アナログ電子時計２と、端末機器３とを備える。アナログ電子時計システム１は、アナログ電子時計２と端末機器３との間で、時刻に関する時刻情報を互いに送受信することで、アナログ電子時計２に対する表示時刻補正を行うものである。本実施形態におけるアナログ電子時計システム１は、アナログ電子時計２と端末機器３との間の通信手段として、近距離無線通信手段の１つであるＢｌｕｅｔｏｏｔｈ（登録商標）を用いる場合について説明するが、通信手段はこれに限定されるものではなく、他の近距離無線通信手段や広域通信網等を用いてもよい。
【００１４】
アナログ電子時計２は、後述するアナログ表示部２６を有する時計であり、アナログ表示部２６における秒針２６ｂ、分針２６ｃ、時針２６ｄおよび日板２６ｅ（以下、単に「指針群２６ｂ〜２６ｅ」ともいう）と、文字板２６ａとの位置関係に対応する時刻をユーザーに認識させるものである。アナログ電子時計２は、アンテナ２１と、通信部２２と、制御部２３と、電源部２４と、駆動機構部２５と、アナログ表示部２６と、操作部２７と、を有する。本実施形態におけるアナログ電子時計２は、ユーザーが腕に装着する腕時計として説明するが、置き時計や掛け時計であってもよい。
【００１５】
アンテナ２１は、時計側通信部の一部を構成するものであり、近距離無線通信規格の一つであるＢｌｕｅｔｏｏｔｈ規格の電波を受信するものである。アンテナ２１は、通信部２２と接続されている。
【００１６】
通信部２２は、時計側通信部の一部を構成するものであり、外部と少なくとも時刻に関する時刻情報を送受信することができるものである。通信部２２は、Ｂｌｕｅｔｏｏｔｈモジュール２２ａと変換部２２ｂとを有する。Ｂｌｕｅｔｏｏｔｈモジュール２２ａは、アンテナ２１を介して、外部である端末機器３との間でＢｌｕｅｔｏｏｔｈ通信を行うための通信制御モジュールである。変換部２２ｂは、シリアル信号をパラレル信号に変換、あるいはパラレル信号をシリアル信号に変換するものである。制御部２３から出力され、外部に送信される送信情報（送信データ）は、変換部２２ｂにおいてシリアル／パラレル変換等の信号処理が行われ、Ｂｌｕｅｔｏｏｔｈモジュール２２ａからアンテナ２１を介して端末機器３に送信される。一方、アンテナ２１を介して、Ｂｌｕｅｔｏｏｔｈモジュール２２ａが受信した受信情報（受信データ）は、変換部２２ｂにおいてシリアル／パラレル変換等の信号処理が行われ、制御部２３に出力される。
【００１７】
制御部２３は、時計側制御部であり、アナログ電子時計２に含まれる各種回路や機構等を制御するものであり、少なくとも時計内部時刻に基づいて駆動機構部２５による指針群２６ｂ〜２６ｅの回転を制御するものである。また、制御部２３は、指針群２６ｂ〜２６ｅの基準位置情報を記憶しており、基準位置情報を更新するものである。制御部２３は、マイクロコントローラ２３ａと、モータ駆動回路２３ｂと、不揮発性メモリ２３ｃと、ＲＴＣ（Ｒｅａｌ  Ｔｉｍｅ  Ｃｌｏｃｋ）２３ｄとを有する。
【００１８】
マイクロコントローラ２３ａは、演算部２３ｅと、ＲＡＭ（Ｒａｎｄｏｍ  Ａｃｃｅｓｓ  Ｍｅｍｏｒｙ）２３ｆと、ＲＯＭ（Ｒｅａｄ  Ｏｎｌｙ  Ｍｅｍｏｒｙ）２３ｇと、を有する。マイクロコントローラ２３ａは、１つの集積回路により構成されている。演算部２３ｅは、ＲＴＣ２３ｄから出力されたクロック信号に含まれるパルスを図示しないカウンタによりカウントする。演算部２３ｅは、ＲＯＭ２３ｇに格納されたプログラムにしたがって各種の情報処理を行う。本実施形態における演算部２３ｅは、表示時刻補正処理を実行する。演算部２３ｅは、カウントされたパルスの数に応じた時計内部時刻を決定する。ＲＡＭ２３ｆは、演算部２３ｅのワークメモリとして機能し、演算部２３ｅの処理対象となる情報が書き込まれる。また、ＲＡＭ２３ｆは、制御部２３により時計内部時刻に基づいて指針群２６ｂ〜２６ｅの回転を駆動機構部２５により制御する指針群２６ｂ〜２６ｅの制御動作に基づく、それぞれの現在位置情報を記憶するものでもある。
【００１９】
モータ駆動回路２３ｂは、演算部２３ｅにより決定された時計内部時刻に基づいて、駆動機構部２５に含まれる後述するステップモータ２５ａ〜２５ｃをそれぞれ駆動する駆動信号を出力する。
【００２０】
不揮発性メモリ２３ｃは、電源部２４により、制御部２３に電力が供給されていない場合や、アナログ電子時計２を再起動する場合等において、情報を保持するメモリである。不揮発性メモリ２３ｃは、指針群２６ｂ〜２６ｅの基準位置情報が記憶されている。本実施形態における基準位置情報は、予め設定されている基準位置に基づく情報である。ここで、基準位置は、例えば、秒針２６ｂ、分針２６ｃ、時針２６ｄが文字板２６ａの１２時を指す位置であり、かつ、日板２６ｅが文字板２６ａの日窓２６ｇから「１」を視認できる位置である。基準位置情報は、基準時刻（１日午前１２時００分００秒）における指針群２６ｂ〜２６ｅのそれぞれの位置に関する初期値情報である。不揮発性メモリ２３ｃは、例えば、フラッシュメモリやＥＥＰＲＯＭ等である。
【００２１】
ＲＴＣ２３ｄは、アナログ電子時計２の内部で計時に使用されるクロック信号をマイクロコントローラ２３ａに出力するものである。
【００２２】
電源部２４は、アナログ電子時計２の電力源であり、通信部２２、制御部２３、駆動機構部２５等、アナログ電子時計２内の各部に対して電力を供給する。電源部２４は、発電回路２４ａと、バッテリ２４ｂと、電源電圧検出回路２４ｃとを有する。
【００２３】
発電回路２４ａは、アナログ表示部２６の後述する文字板２６ａの下側に配置される光発電素子を含むものである。発電回路２４ａは、文字板２６ａに対して照射される太陽光等の外光によって発電するものであり、発電した電力をバッテリ２４ｂに供給するものである。
【００２４】
バッテリ２４ｂは、充放電可能な二次電池であり、例えば、リチウムイオン電池等である。バッテリ２４ｂは、充電および放電を管理する図示しないバッテリーマネジメント回路により、発電回路２４ａが発電した電力を充電、あるいはアナログ電子時計２内の各部に対して電力を供給するために放電する。
【００２５】
電源電圧検出回路２４ｃは、バッテリ２４ｂの電圧を測定する回路である。測定された電圧を示す信号は、マイクロコントローラ２３ａに出力される。
【００２６】
駆動機構部２５は、モータ駆動回路２３ｂから出力される駆動信号に応じて回転駆動（例えば、１制御パルスごとに１８０度）する複数のステップモータ２５ａ，２５ｂ，２５ｃと、図示しない輪列とを有する。駆動機構部２５は、各ステップモータ２５ａ〜２５ｃの回転力を輪列が伝達することで、指針群２６ｂ〜２６ｅを予め設定されている１回の回転量ごとに回転させる。本実施形態においては、ステップモータ２５ａにより秒針２６ｂが回転され、ステップモータ２５ｂにより分針２６ｃおよび時針２６ｄが回転され、ステップモータ２５ｃにより日板２６ｅが回転される。ここで、分針２６ｃおよび時針２６ｄは、連動して回転するものであり、時針２６ｄが分針２６ｃの回転速度に対して１／１２の比で連動して回転する。ステップモータ２５ａ〜２５ｃは、秒針２６ｂに対して６度、分針２６ｃに対して１度、日板２６ｅに対して３６０／（３１×１７０）度を１回の回転量として、回転させる。
【００２７】
アナログ表示部２６は、アナログ電子時計２のうち外部から視認可能な位置に配置されている。アナログ表示部２６は、図１および図２に示すように、文字板２６ａと、秒針２６ｂと、分針２６ｃと、時針２６ｄと、日板２６ｅとを有する。文字板２６ａは、円盤状に形成されており、外光を透過するものである。文字板２６ａは、インデックス２６ｆと、日窓２６ｇが形成されている。インデックス２６ｆは、秒針２６ｂ、分針２６ｃおよび時針２６ｄ（以下、単に「３針２６ｂ〜２６ｄ」ともいう）との相対位置により、ユーザーに現在時刻を認識させるものである。インデックス２６ｆは、文字板２６ａに対して周方向に等間隔に形成されている。本実施形態におけるインデックス２６ｆは、６度ごとに等間隔に形成されるものと、３０度ごとに等間隔に形成されるものとがある。日窓２６ｇは、文字板２６ａの上下方向において日板２６ｅと対向する位置に形成されており、文字板２６ａを上下に貫通するものである。本実施形態における日窓２６ｇは、矩形形状であり、文字板２６ａにおいて「３時」の位置に形成されている。秒針２６ｂ、分針２６ｃおよび時針２６ｄは、図示しないフレームに回転自在に支持されており、文字板２６ａの上側、例えば文字板２６ａの中心部において同軸上を回転する。秒針２６ｂ、分針２６ｃおよび時針２６ｄは、文字板２６ａ上のインデックス２６ｆに対する位置を指し示すことで、表示時刻の秒、分、時を指し示す。日板２６ｅは、図示しないフレームに回転自在に支持されており、文字板２６ａの下側を回転する。日板２６ｅは、日窓２６ｇにより文字板２６ａの上側に露出可能であり、日窓２６ｇを介して、時刻のうち「日」を指し示す。日板２６ｅは、日を識別することができる識別パターン、本実施形態では１〜３１の数字が周方向に等間隔に配置して形成されている。秒針２６ｂは現在時刻のうち「秒」を指し、分針２６ｃは現在時刻のうち「分」を指し、時針２６ｄは現在時刻のうち「時」を指すものである。本実施形態における３針２６ｂ〜２６ｄは、分針２６ｃ、秒針２６ｂ、時針２６ｄの順で、回転半径方向において文字板２６ａの中心からの長さが短く形成されている。
【００２８】
操作部２７は、例えば、リューズや操作ボタン等である。操作部２７は、ユーザーが操作することで、入力操作に応じた操作内容が制御部２３に出力される。ここで、制御部２３は、操作内容に応じて、各種の処理を実行する。
【００２９】
端末機器３は、アナログ電子時計２とは別個であり、アナログ電子時計システム１の表示時刻補正機能に対応する表示時刻補正アプリケーション（以下、単に、「アプリ」ともいう）が、端末機器３の初期時（工場出荷時）から記憶部３７に記憶、あるいは外部サーバからダウンロードや接続された記録媒体から読み込むことで記憶部３７に記憶されるものである。本実施形態における端末機器３は、一部の機能として、アナログ電子時計システム１としての機能を有し、他の機能、例えば、電話機能、インターネット接続機能などを有しているスマートフォン、タブレットなどの携帯端末であるがこれに限定されるものではなく、ノートパソコンなどのパーソナルコンピュータであってもよい。端末機器３は、図１、図３に示すように、撮像部３１と、タッチパネル部３２と、アンテナ３３と、通信部３４と、制御部３５と、電源部３６と、記憶部３７と、内蔵時計部３８と、音声入出力部３９とを含んで構成されている。なお、端末機器３は、要求される機能に応じて、例えば、振動発生部などが追加されてもよい。
【００３０】
撮像部３１は、アナログ電子時計２の文字板２６ａを撮像するものであり、図４に示すように、指針群２６ｂ〜２６ｅおよび文字板２６ａに対応する画像を含む指針文字板画像Ｐを生成するものである。撮像部３１は、端末機器３の裏面（タッチパネル部３２の後述する表示面３２ａが設けられている面と反対側の面）に配置されており、電源部３６からの電力により駆動する撮像素子が面状に配列されたＣＣＤイメージセンサやＣＭＯＳイメージセンサなどの撮像センサ３１ａを有するものである。撮像センサ３１ａは、露光ごとに、入射される光に応じた出力値に基づいて指針文字板画像Ｐを生成し、画像信号として制御部３５に出力する。撮像部３１は、撮像センサ３１ａの撮像条件、すなわち露光タイミング、露光時間などに基づいて、各撮像素子を駆動制御する。ここで、指針文字板画像Ｐは、文字板２６ａに対応する画像、秒針２６ｂに対応する画像、分針２６ｃに対応する画像、時針２６ｄに対応する画像、日板２６ｅのうち日窓２６ｇから露出する部分に対応する画像、インデックス２６ｆに対応する画像が含まれる。
【００３１】
タッチパネル部３２は、表示部および入力部として機能するディスプレイである。タッチパネル部３２は、表示部の機能として、表示面３２ａを有し、撮像部３１により撮像された指針文字板画像Ｐを表示面３２ａに表示する。タッチパネル部３２は、端末機器３の表面に配置されており、電源部３６からの電力により駆動する液晶ディスプレイ、有機ＥＬディスプレイなどのディスプレイである。タッチパネル部３２は、制御部３５から出力される画像データ信号に基づいて、撮像部３１により撮像された画像である指針文字板画像Ｐを表示する。タッチパネル部３２は、入力部としての機能として、ユーザーが任意の位置を押圧することで、操作入力位置に対する操作入力信号が制御部３５に出力される。
【００３２】
アンテナ３３は、端末側通信部の一部を構成するものであり、少なくともＢｌｕｅｔｏｏｔｈ規格の電波を受信するものである。アンテナ３３は、通信部３４と接続されている。
【００３３】
通信部３４は、端末側通信部の一部を構成するものであり、外部と少なくとも時刻に関する時刻情報を送受信することができるものである。本実施形態における通信部３４は、通信部２２と同様に、アンテナ３３を介して、少なくとも外部であるアナログ電子時計２との間でＢｌｕｅｔｏｏｔｈ通信を行うための図示しないＢｌｕｅｔｏｏｔｈモジュールおよび変換部を有する。制御部３５から出力される送信情報（送信データ）、例えば時刻情報は、通信部３４の変換部において信号処理が行われ、Ｂｌｕｅｔｏｏｔｈモジュールからアンテナ３３を介してアナログ電子時計２に送信される。一方、アンテナ３３を介して、通信部３４のＢｌｕｅｔｏｏｔｈモジュールが受信した受信情報（受信データ）、例えば時刻情報は、変換部において信号処理が行われ、制御部３５に出力される。また、通信部３４は、各地に設置されている基地局と、無線通信により、情報の送受信を行うことができるものでもある。
【００３４】
制御部３５は、端末側制御部であり、撮像部３１を含む端末機器３を構成する機器を制御するものである。制御部３５は、上記アプリを実行することで、アナログ電子時計２の指針群２６ｂ〜２６ｅの回転を停止させ、アナログ電子時計２の回転停止状態におけるアナログ表示部２６の撮像を実現するものである。また、制御部３５は、撮像部３１が生成した指針文字板画像Ｐを画像処理することで、指針群２６ｂ〜２６ｅの現在表示位置を検出し、現在表示時刻情報を生成するものである。また、制御部３５は、アナログ電子時計２から受信した時計内部時刻情報と、撮像部３１が生成した指針文字板画像Ｐから検出した現在表示時刻情報とを比較し、表示時刻補正情報をアナログ電子時計２に向けて出力するものである。ここで、制御部３５のハードウェア構成は、周知の端末機器の制御部のハードウェア構成と同一であり、例えば、図示しない演算部、ＲＡＭ、ＲＯＭを有する。
【００３５】
電源部３６は、端末機器３の電力源であり、撮像部３１と、タッチパネル部３２と、通信部３４と、制御部３５と、記憶部３７と、内蔵時計部３８と、音声入出力部３９等、端末機器３を構成する各種の機器に対して電力を供給する。電源部３６は、少なくとも充放電可能なバッテリを有する。
【００３６】
記憶部３７は、制御部３５が実行する表示時刻補正アプリケーションに対応するプログラムを含む各種のプログラム、初期設定情報などを記憶するものである。記憶部３７は、例えば、フラッシュメモリやＥＥＰＲＯＭ等である。
【００３７】
内蔵時計部３８は、端末内部時刻を計時して保持するカウンタである。端末機器３では、制御部３５により端末内部時刻が読み出され、タッチパネル部３２の表示面３２ａに表示される。また、端末機器３では、制御部３５により、端末内部時刻と設定時刻とを比較することで、各種動作が行われる。端末内部時刻は、通信部３４によって端末機器３と基地局との通信が行われている際に、基地局から取得される基地局側時刻情報に基づいて、制御部３５により随時更新が行われる。
【００３８】
音声入出力部３９は、主にユーザーと端末機器３との間で音声を介して情報を伝達するものである。音声入出力部３９は、マイク３９ａと、スピーカー３９ｂとを有する。マイク３９ａは、主に、ユーザーの音声を入力するものであり、音波を音声信号に変換し、制御部３５などに出力するものである。スピーカー３９ｂは、主に、ユーザーに対して音声を出力するものであり、制御部３５などから出力された音声信号を音波に変換し、端末機器３の外部に出力するものである。
【００３９】
次に、本実施形態におけるアナログ電子時計システム１による表示時刻補正について説明する。図５は、実施形態におけるアナログ電子時計システムによる表示時刻補正処理のシーケンス図である。図６は、端末機器における表示時刻補正処理のフロー図である。図７は、アナログ電子時計における表示時刻補正処理のフロー図である。図８は、指針文字板画像に対する識別エリア（拡大）の説明図である。以下、図５のシーケンスについて、図６および図７のフロー図を用いて詳しく説明する。
【００４０】
まず、ユーザーは、図５に示すように、端末機器３において表示時刻補正アプリケーションを起動する。ここで、アプリの起動は、例えば、ユーザーが表示面３２ａに表示されたアプリに対応する起動ボタンのアイコンを押下する（表示面３２ａのうち、起動ボタンのアイコン表示位置に対して操作入力する）。ここで、本実施形態における端末機器３の通信部３４は、アプリの起動により、アナログ電子時計２の通信部２２との間で、Ｂｌｕｅｔｏｏｔｈ通信を確立する。
【００４１】
次に、端末機器３の制御部３５は、図６に示すように、アプリが起動しているか否かを判断する（ステップＳＴ３０１）。
【００４２】
次に、制御部３５は、アプリが起動していると判断する（ステップＳＴ３０１：Ｙｅｓ）と、アナログ電子時計２に対して回転停止信号を送信する（ステップＳＴ３０２）。現時点で、アナログ電子時計２の指針群２６ｂ〜２６ｅが回転状態であるため、制御部３５は、指針群２６ｂ〜２６ｅが停止している状態で撮像部３１による撮像ができるように、通信部３４，２２を介して、指針群２６ｂ〜２６ｅの回転を停止させる回転停止信号を制御部２３に出力する。なお、制御部３５は、アプリが起動していないと判断する（ステップＳＴ３０１：Ｎｏ）と、アプリが起動されるまでステップＳＴ３０１を繰り返す。
【００４３】
次に、アナログ電子時計２の制御部２３は、図７に示すように、回転停止信号を受信したか否かを判断する（ステップＳＴ２０１）。
【００４４】
次に、制御部２３は、回転停止信号を受信したと判断する（ステップＳＴ２０１：Ｙｅｓ）と、指針群２６ｂ〜２６ｅの回転を停止する（ステップＳＴ２０２）。ここでは、制御部２３は、モータ駆動回路２３ｂに対して駆動機構部２５に出力している駆動信号の出力を停止させる。これにより、アナログ電子時計２は、指針群２６ｂ〜２６ｅが現在表示位置において停止することとなる。また、制御部２３は、カウンタによるカウントを禁止し、時計内部時刻情報の更新、すなわち時計内部時刻の計時を停止する。なお、制御部２３は、回転停止信号を受信していないと判断する（ステップＳＴ２０１：Ｎｏ）と、回転停止信号を受信するまでステップＳＴ２０１を繰り返す。
【００４５】
次に、制御部２３は、端末機器３に対して時計内部時刻情報を送信する（ステップＳＴ２０３）。現時点で、指針群２６ｂ〜２６ｅが回転停止状態であるため、指針群２６ｂ〜２６ｅが回転を停止した際の時計内部時刻情報に基づいた指針群２６ｂ〜２６ｅの予定表示位置と現在表示位置とを端末機器３において比較するために、通信部２２，３４を介して、時計内部時刻情報を制御部３５に出力する。
【００４６】
次に、制御部３５は、図６に示すように、時計内部時刻情報を受信したか否かを判断する（ステップＳＴ３０３）。
【００４７】
次に、制御部３５は、時計内部時刻情報を受信したと判断する（ステップＳＴ３０３：Ｙｅｓ）と、撮像部３１を起動する（ステップＳＴ３０４）。ここでは、制御部３５は、時計内部時刻情報を取得し、指針群２６ｂ〜２６ｅが回転停止状態のアナログ表示部２６を撮像するために、撮像部３１を起動する。制御部３５は、撮像部３１が起動されると、撮像部３１からリアルタイムに出力される画像信号に基づいた画像を表示面３２ａに表示させる。つまり、ユーザーは、表示面３２ａを視認することで、撮像部３１が撮像しようとする被写体、すなわちアナログ表示部２６を確認することができる。また、制御部３５は、撮像部３１による撮像を指示するシャッターをアイコンとして表示する。なお、制御部３５は、時計内部時刻情報を受信していないと判断する（ステップＳＴ３０３：Ｎｏ）と、時計内部時刻情報を受信するまでステップＳＴ３０３を繰り返す。また、制御部３５は、一定期間、時計内部時刻情報を受信していない場合に、アナログ電子時計２との通信が不通であることをユーザーに認識させる注意表示画像を表示面３２ａに表示したのち、後述するアプリを終了（ステップＳＴ３１３）してもよい。また、アナログ電子時計２との通信が不通である場合は、アナログ電子時計２との通信が確立できない状態か、アナログ電子時計２の電池容量が低下しており、指針群２６ｂ〜２６ｅの回転が停止している状態である可能性もあるため、アナログ電子時計２との通信が不通であることとともに、アナログ電子時計２との通信を確立すること、またはアナログ電子時計２の充電をユーザーに促す注意表示画像を合わせて表示面３２ａに対して表示してもよい。
【００４８】
次に、制御部３５は、シャッターが押下されたか否かを判断する（ステップＳＴ３０５）。
【００４９】
次に、制御部３５は、シャッターが押下されたと判断する（ステップＳＴ３０５：Ｙｅｓ）と、指針文字板画像Ｐを生成する（ステップＳＴ３０６）。ここでは、制御部３５は、ユーザーにより表示面３２ａに表示されたシャッターのアイコンが押下されると、撮像部３１による撮像を指示する撮像指示信号を撮像部３１に出力し、撮像部３１による撮像が行われ、指針文字板画像Ｐが生成される。また、制御部３５は、シャッターが押下されていないと判断する（ステップＳＴ３０５：Ｎｏ）と、シャッターが押下されるまで、ステップＳＴ３０５を繰り返す。
【００５０】
次に、制御部３５は、識別エリアＡＳ，ＡＭ，ＡＨ，ＡＤ（以下、単に「ＡＳ〜ＡＤ」ともいう）を決定する（ステップＳＴ３０７）。ここでは、制御部３５は、図４に示すように、秒針２６ｂに対応する識別エリアＡＳ、分針２６ｃに対応する識別エリアＡＭ、時針２６ｄに対応する識別エリアＡＨ、日板２６ｅに対応する識別エリアＡＤを決定する。各識別エリアＡＳ〜ＡＤは、指針文字板画像Ｐの一部である。識別エリアＡＳ，ＡＭ，ＡＨは、文字板２６ａに対する秒針２６ｂ、分針２６ｃ、時針２６ｄの時計内部時刻情報に基づいたそれぞれの予定表示位置およびインデックス２６ｆがそれぞれ含まれることを条件に決定される通常の識別エリアである。本実施形態における識別エリアＡＳ，ＡＭ，ＡＨは、指針文字板画像Ｐにおける文字板２６ａの中心を基準とする中心角が同一の扇型（予定表示時刻±３０度）であり、回転半径方向外側端部がインデックス２６ｆよりも回転半径方向外側に位置するように形成されている。ここで、文字板２６ａに対する日窓２６ｇの位置は、３針２６ｂ〜２６ｄと異なり変化せず、アナログ電子時計２の機種が異なっても数カ所である。したがって、制御部３５は、予め文字板２６ａに対する日窓２６ｇの位置を数種類設定しておき、数種類の中から識別エリアＡＤを決定する。
【００５１】
次に、制御部３５は、指針群２６ｂ〜２６ｅの現在表示位置を検出できたか否かを判断する（ステップＳＴ３０８）。ここでは、制御部３５は、各識別エリアＡＳ〜ＡＤ内で、秒針２６ｂ、分針２６ｃ、時針２６ｄおよび日板２６ｅ（日板２６ｅの識別パターン）を検出し、文字板２６ａに対する現在表示位置を検出する。本実施形態における制御部３５は、指針文字板画像Ｐのうち、各識別エリアＡＳ〜ＡＤにおける画像に対して、パターンマッチング処理を行うことで、指針群２６ｂ〜２６ｅおよびインデックス２６ｆを検出する。ここで、パターンマッチング処理は、各識別エリアＡＳ〜ＡＤにおける各画素が有する輝度、彩度、明度、色相などの値を比較して、幾何学形状情報、本実施形態では、例えば細長い形状、識別パターンなどを抽出するものである。
【００５２】
次に、制御部３５は、指針群２６ｂ〜２６ｅの現在表示位置を検出できたと判断する（ステップＳＴ３０８：Ｙｅｓ）と、現在表示時刻情報を生成する（ステップＳＴ３０９）。ここでは、制御部３５は、検出した３針２６ｂ〜２６ｄとインデックス２６ｆとの相対位置に基づいて、現在表示時刻における「秒」、「分」、「時」を決定する。文字板２６ａに対する各識別エリアＡＳ，ＡＭ，ＡＨ（以下、単に「ＡＳ〜ＡＨ」ともいう）の位置は、制御部３５が識別エリアＡＳ〜ＡＨを決定した際に、制御部３５により認識されている。したがって、制御部３５は、各識別エリアＡＳ〜ＡＨ内で検出されたインデックス２６ｆが文字板２６ａのどのインデックス２６ｆであるかを把握することができる。つまり、制御部３５は、検出した３針２６ｂ〜２６ｄとインデックス２６ｆとの相対位置を認識することができるとともに、３針２６ｂ〜２６ｄの表示位置を認識することができ、３針２６ｂ〜２６ｄの表示位置に基づいて現在表示時刻における「秒」、「分」、「時」を決定する。一方、制御部３５は、検出した日板２６ｅの識別パターンにより、現在表示時刻における「日」を決定する。ここで、制御部３５は、時計内部時刻情報を取得しているため、日窓２６ｇから露出する日板２６ｅの予想識別パターンに基づいて、日板２６ｅの現在表示位置を検出することができる。
【００５３】
次に、制御部３５は、表示時刻補正情報を生成する（ステップＳＴ３１０）。ここでは、制御部３５は、現在表示時刻情報と、アナログ電子時計２から取得した時計内部時刻情報との差分に基づいた表示時刻補正情報を生成する。本実施形態における制御部３５は、時計内部時刻から現在表示時刻との差分として、「秒」に関する秒差分情報、「分・時」に関する分時差分情報、「日」に関する日差分情報を表示時刻補正情報として算出する。
【００５４】
次に、制御部３５は、アナログ電子時計２に対して表示時刻補正情報を送信する（ステップＳＴ３１１）。現時点で、アナログ電子時計２の指針群２６ｂ〜２６ｅが回転停止状態であるため、制御部３５は、時計内部時刻の計時を停止している状態で、各指針群２６ｂ〜２６ｅを駆動機構部２５によりそれぞれ回転させることができるように、通信部３４，２２を介して、指針群２６ｂ〜２６ｅの表示位置を補正する表示時刻補正情報を制御部２３に出力する。
【００５５】
次に、制御部２３は、図７に示すように、表示時刻補正情報を受信したか否かを判断する（ステップＳＴ２０４）。
【００５６】
次に、制御部２３は、表示時刻補正情報を受信したと判断する（ステップＳＴ２０４：Ｙｅｓ）と、表示時刻補正情報に基づいて指針群２６ｂ〜２６ｅの表示位置を補正する（ステップＳＴ２０５）。ここでは、制御部２３は、時計内部時刻ではなく、表示時刻補正情報、すなわち「秒」に関する秒差分情報、「分・時」に関する分時差分情報、「日」に関する日差分情報に基づいて、駆動機構部２５の各ステップモータ２５ａ〜２５ｃに対してモータ駆動回路２３ｂが駆動信号を出力する。したがって、指針群２６ｂ〜２６ｅは、現在の表示位置から表示時刻補正情報に基づいた補正表示位置にそれぞれ回転する。なお、現在位置情報は、現在の表示位置から補正表示位置に対応する位置情報となり、ＲＡＭ２３ｆに記憶される。また、制御部２３は、表示時刻補正情報を受信していないと判断する（ステップＳＴ２０４：Ｎｏ）と、表示時刻補正情報を受信するまでステップＳＴ２０４を繰り返す。
【００５７】
次に、制御部２３は、指針群２６ｂ〜２６ｅの回転を再開する（ステップＳＴ２０６）。ここでは、制御部２３は、時計内部時刻の計時を再開するとともに、時計内部時刻に基づいてモータ駆動回路２３ｂおよび駆動機構部２５を介して、指針群２６ｂ〜２６ｅの回転を再開させる。
【００５８】
次に、制御部２３は、端末機器３に対して表示時刻補正完了通知を送信する（ステップＳＴ２０７）。現時点で、アナログ電子時計２の表示時刻補正が完了し、指針群２６ｂ〜２６ｅが回転再開状態であるため、制御部２３は、アプリを終了できるように、通信部２２，３４を介して、アプリ終了のトリガーとなる表示時刻補正完了通知を制御部３５に出力する。
【００５９】
次に、制御部３５は、図６に示すように、表示時刻補正完了通知を受信したか否かを判断する（ステップＳＴ３１２）。
【００６０】
次に、制御部３５は、表示時刻補正完了通知を受信したと判断する（ステップＳＴ３１２：Ｙｅｓ）と、アプリを終了する（ステップＳＴ３１３）。ここでは、制御部３５は、表示時刻補正完了通知を受信すると、例えば、表示面３２ａに表示時刻補正が完了した旨をユーザーに認識させる注意喚起表示を表示したのち、アプリを終了する。また、制御部３５は、表示時刻補正完了通知を受信していないと判断する（ステップＳＴ３１２：Ｎｏ）と、表示時刻補正完了通知を受信するまでステップＳＴ３１２を繰り返す。
【００６１】
また、制御部３５は、指針群２６ｂ〜２６ｅの現在表示位置を検出できないと判断する（ステップＳＴ３０８：Ｎｏ）と、識別エリアを拡大する（ステップＳＴ３１３）。本実施形態における制御部３５は、各識別エリアＡＳ、ＡＭ、ＡＨ内で３針２６ｂ〜２６ｄの現在表示位置を検出することができないと判断すると、図８に示すように、指針文字板画像Ｐのうち、文字板２６ａに対応する画像を各識別エリアＡＳ、ＡＭ、ＡＨとする。なお、制御部３５は、各識別エリアＡＳ、ＡＭ、ＡＨ内で３針２６ｂ〜２６ｄの現在表示位置を検出することができないと判断すると、各識別エリアＡＳ、ＡＭ、ＡＨにおける回転半径方向における長さ、回転方向における長さを段階的に大きくしてもよく、最終的に指針文字板画像Ｐの全部を各識別エリアＡＳ、ＡＭ、ＡＨとしてもよい。
【００６２】
次に、制御部３５は、指針群２６ｂ〜２６ｅの現在表示位置を検出できたか否かを判断する（ステップＳＴ３１４）。本実施形態における制御部３５は、拡大された各識別エリアＡＳ〜ＡＨ内および識別エリアＡＤ内で、秒針２６ｂ、分針２６ｃ、時針２６ｄおよび日板２６ｅを検出し、文字板２６ａに対する現在表示位置を検出する。なお、制御部３５は、指針群２６ｂ〜２６ｅの現在表示位置を検出できたと判断する（ステップＳＴ３１４：Ｙｅｓ）と、ステップＳＴ３０９〜ステップＳＴ３１３を行う。一方、制御部３５は、指針群２６ｂ〜２６ｅの現在表示位置を検出できないと判断する（ステップＳＴ３１４：Ｎｏ）と、例えば、表示面３２ａに現在表示一を認識できなかった旨をユーザーに認識させる注意喚起表示を表示したのち、アプリを終了する（ステップＳＴ３１３）。
【００６３】
以上のように、本実施形態におけるアナログ電子時計システム１では、回転している指針群２６ｂ〜２６ｅを回転停止させて、時計内部時刻情報と、現在表示位置に基づいた現在表示時刻情報と、に基づいて表示時刻補正情報を生成し、指針群２６ｂ〜２６ｅが回転停止状態において指針群２６ｂ〜２６ｅを表示時刻補正情報に基づいて補正し、指針群２６ｂ〜２６ｅの回転を再開する。ここで、一般的に、ユーザーが行う表示時刻補正では、時計内部時刻と現在表示時刻とが大きくずれていることが少なく、表示時刻補正において指針群２６ｂ〜２６ｅを補正する際の指針群２６ｂ〜２６ｅの回転量は少ない。したがって、表示時刻補正情報により指針群２６ｂ〜２６ｅを現在の表示位置から補正表示位置まで回転させる時間は、表示時刻補正のうち他の動作、処理に要する時間よりも短いため、表示時刻補正のうち他の動作、処理に要する時間を短くすることが、表示時刻補正に要する時間の削減ために効果的である。アナログ電子時計システム１は、指針文字板画像Ｐを生成するために、指針群２６ｂ〜２６ｅを現在表示位置から基準位置まで回転することを行わない。つまり、表示時刻補正は、表示時刻補正開始からアナログ表示部２６を撮像部３１により撮像するまでの時間を削減することができる。また、表示時刻補正は、指針文字板画像Ｐを生成した後は、指針群２６ｂ〜２６ｅの現在表示位置を検出するための画像処理時間と、表示時刻補正情報により指針群２６ｂ〜２６ｅを現在の表示位置から補正表示位置まで回転させる時間とを要するのみで、指針群２６ｂ〜２６ｅを時計内部時刻に基づいた回転を再開することができる。これにより、アナログ電子時計システム１は、指針群２６ｂ〜２６ｅを基準位置情報に基づいて回転させずに表示時刻補正を行うことができるので、表示時刻補正に要する時間を削減することができる。
【００６４】
また、アナログ電子時計システム１では、指針群２６ｂ〜２６ｅの現在表示位置を検出する際に、指針文字板画像Ｐの全部を指針群２６ｂ〜２６ｅの検出対象とせず、指針文字板画像Ｐの一部である識別エリアＡＳ〜ＡＤを検出対象とするので、検出対象となる画素数を削減することができる。したがって、アナログ電子時計システム１は、指針群２６ｂ〜２６ｅの現在表示位置を検出するための画像処理時間を削減することができるので、表示時刻補正に要する時間を削減することができる。また、アナログ電子時計システム１は、指針文字板画像Ｐの一部である識別エリアＡＳ〜ＡＤを検出対象とするので、指針文字板画像Ｐの全部を検出対象とする場合に比べ、文字板２６ａの模様やロゴなどのノイズを抑制でき、誤検出などを抑制することができ、検出精度を向上することができる。
【００６５】
また、時計内部時刻と現在表示時刻とのずれは、時計内部時刻に基づいた表示位置と現在表示位置とのずれであり、すなわち基準位置と、指針群２６ｂ〜２６ｅが現在位置情報と基準位置情報とに基づいて実際の基準位置まで回転した際における実基準位置とのずれである。つまり、アナログ電子時計システム１は、時計内部時刻と現在表示時刻との差分に基づいた表示時刻補正情報により、基準位置の補正を行うこともできる。この場合、アナログ電子時計システム１は、表示時刻補正情報に基づいて不揮発性メモリ２３ｃに記憶されている基準位置情報を補正、すなわち更新する。したがって、アナログ電子時計システム１は、指針群２６ｂ〜２６ｅを基準位置まで回転させることなく、表示時刻補正に伴い基準位置情報を補正することができる。
【００６６】
また、アナログ電子時計システム１は、通常の各識別エリアＡＳ、ＡＭ、ＡＨ内で３針２６ｂ〜２６ｄの現在表示位置を検出することができないと判断すると、指針文字板画像Ｐのうち、文字板２６ａを含む拡大された各識別エリアＡＳ〜ＡＨ内で３針２６ｂ〜２６ｄの現在表示位置を検出することとなる。したがって、アナログ電子時計システム１は、例えば、３針２６ｂ〜２６ｄのずれ量が大きく、通常の各識別エリアＡＳ、ＡＭ、ＡＨ内に３針２６ｂ〜２６ｄに対応する画像がない場合において、指針文字板画像Ｐのうち、文字板２６ａに対応する画像よりも大きい画像を各識別エリアＡＳ〜ＡＨとするので、３針２６ｂ〜２６ｄを検出することができる。これにより、アナログ電子時計システム１は、指針文字板画像Ｐにより、各指針群２６ｂ〜２６ｅを確実に検出することができ、表示時刻補正を確実に実行することができる。
【００６７】
〔変形例〕
なお、上記実施形態におけるアナログ電子時計システム１は、通常の各識別エリアＡＳ、ＡＭ、ＡＨを同一形状としたが、これに限定されるものではない。図９は、変形例における指針文字板画像に対する識別エリアの説明図である。図１０は、変形例における指針文字板画像に対する識別エリアの説明図である。制御部３５は、各識別エリアＡＳ、ＡＭ、ＡＨを決定する際に、３針２６ｂ〜２６ｄのそれぞれの回転半径方向における長さに応じて、識別エリアにおける回転半径方向のエリア長さを異ならせてもよい。ここで、制御部３５は、３針２６ｂ〜２６ｄとインデックス２６ｆとの相対位置に基づいて、各識別エリアＡＳ、ＡＭ、ＡＨにおいて３針２６ｂ〜２６ｄを検出することとなる。したがって、検出においては、各識別エリアＡＳ、ＡＭ、ＡＨに、インデックス２６ｆに対応する画像と３針２６ｂ〜２６ｄの回転半径方向外側の一部に対応する画像があればよい。つまり、３針２６ｂ〜２６ｄのうち回転半径方向外側の端部である先端部がインデックス２６ｆに近いものは、先端部がインデックス２６ｆより遠いものよりも、回転半径方向におけるエリア長さを短くすることができる。そこで、制御部３５は、図９に示すように、３針２６ｂ〜２６ｄのうち、３針２６ｂ〜２６ｄとインデックス２６ｆとの相対位置が他の３針２６ｂ〜２６ｄに対して離れている指針、本実施形態における時針２６ｄに対応する識別エリアＡＨを秒針２６ｂ、分針２６ｃに対応する識別エリアＡＳ，ＡＭよりも、回転半径方向において広く決定する。これにより、各識別エリアＡＳ〜ＡＨの回転半径方向における長さを異ならせることで、各識別エリアＡＳ〜ＡＨにおいて検出対象となる画素数を削減することができる。したがって、アナログ電子時計システム１は、指針群２６ｂ〜２６ｅの現在表示位置を検出するための画像処理時間を削減することができるので、表示時刻補正に要する時間をさらに削減することができる。
【００６８】
また、制御部３５は、各識別エリアＡＳ、ＡＭ、ＡＨを決定する際に、３針２６ｂ〜２６ｄの１回の回転量に応じて、識別エリアにおける回転方向のエリア長さを異ならせてもよい。ここで、３針２６ｂ〜２６ｄの１回の回転量が異なり、秒針２６ｂ、分針２６ｃ、時針２６ｄの順で１回の回転量が小さくなる。時計内部時刻と現在表示時刻とのずれは、１回の回転量が大きいほど大きくなる傾向にあるため、時針２６ｄ、分針２６ｃ、秒針２６ｂの順で、時計内部時刻に基づいた表示位置と現在表示位置とのずれが大きくなる可能性が高くなる。したがって、検出においては、各識別エリアＡＳ、ＡＭ、ＡＨにおいて、３針２６ｂ〜２６ｄの１回の回転量ごとに基づいて、回転方向における検出対象を異ならせればよい。つまり、３針２６ｂ〜２６ｄのうち１回の回転量が少ないものは、１回の回転量が多いものよりも、回転方向における長さを短くすることができる。そこで、制御部３５は、図１０に示すように、３針２６ｂ〜２６ｄのうち、１回の回転量が他の３針２６ｂ〜２６ｄに対して少ない指針、本実施形態における分針２６ｃに対応する識別エリアＡＭを秒針２６ｂに対応する識別エリアＡＳよりも、時針２６ｄに対応する識別エリアＡＨを分針２６ｃに対応する識別エリアＡＭよりも、回転方向において狭く決定する。これにより、各識別エリアＡＳ〜ＡＨの回転方向における長さを異ならせることで、各識別エリアＡＳ〜ＡＨにおいて検出対象となる画素数を削減することができる。したがって、アナログ電子時計システム１は、指針群２６ｂ〜２６ｅの現在表示位置を検出するための画像処理時間を削減することができるので、表示時刻補正に要する時間をさらに削減することができる。
【００６９】
また、上記実施形態におけるアナログ電子時計システム１において、制御部３５により指針群２６ｂ〜２６ｅの現在表示位置を検出する前に、予めユーザーに指針群２６ｂ〜２６ｅの現在表示位置の検出精度を向上するための操作を行わせてもよい。図１１は、変形例における端末機器の表示面に対する注意表示画像の表示例を示す図である。図１２は、変形例における端末機器の表示面に対する注意表示画像の表示例を示す図である。
【００７０】
制御部３５は、例えば、識別エリアＡＳ〜ＡＤを決定する前に、図１１に示すように、表示面３２ａに対して、指針文字板画像Ｐを表示するとともに、文字板２６ａにおける１２時に対応するインデックス位置Ｔに対して操作入力を促す注意表示画像ＰＭ１を表示してもよい。制御部３５は、変形例では、指針文字板画像Ｐを生成した後、識別エリアＡＳ〜ＡＤを決定する前に、表示面３２ａに指針文字板画像Ｐと注意表示画像ＰＭ１とを同時に表示する。注意表示画像ＰＭ１は、例えば、「１２時の位置をタッチして下さい」と表示する。制御部３５は、ユーザーにより、文字板２６ａにおける１２時に対応するインデックス位置Ｔが押下されたか否かを判断し、インデックス位置Ｔが押下された、すなわち操作入力されたと判断すると、時計内部時刻情報および指針文字板画像Ｐに対する操作入力位置情報に基づいて識別エリアＡＳ，ＡＭ，ＡＨ，ＡＤを決定する。したがって、制御部３５は、識別エリアＡＳ〜ＡＤを決定する前に、指針文字板画像Ｐにおける文字板２６ａに対応する画像の状態、例えば上下方向、回転角度などを１２時に対応するインデックス位置Ｔに基づいて決定することができる。これにより、制御部３５は、識別エリアＡＳ〜ＡＤを決定する前に、撮像部３１に対するアナログ表示部２６の相対位置関係を把握することができるので、識別エリアＡＳ〜ＡＤを決定する時間を短くすることができるので、表示時刻補正に要する時間をさらに削減することができる。なお、制御部３５は、注意表示画像ＰＭ１を表示面３２ａに対して表示することと、併せて、あるいは別に、音声などのユーザーに対する報知手段により、文字板２６ａにおける１２時に対応するインデックス位置Ｔに対して操作入力を促してもよい。
【００７１】
また、制御部３５は、例えば、指針群２６ｂ〜２６ｅの現在表示位置を認識する前に、図１２に示すように、表示面３２ａに対して、複数のアナログ電子時計識別画像ＰＷ１〜ＰＷ４を表示するとともに、複数のアナログ電子時計識別画像ＰＷ１〜ＰＷ４のうち１つを選択する操作入力を促す注意表示画像ＰＭ２を表示してもよい。制御部３５は、変形例では、アプリが起動していると判断した後、撮像部３１が起動する前に、表示面３２ａにアナログ電子時計識別画像ＰＷ１〜ＰＷ４と注意表示画像ＰＭ２とを同時に表示する。アナログ電子時計識別画像ＰＷ１〜ＰＷ４は、予め記憶部３７に記憶されているものであり、機種ごとに異なるアナログ電子時計ごとの指針群および文字板に関する形状情報を含む指針文字板情報に関連づけられたものである。変形例におけるアナログ電子時計識別画像ＰＷ１〜ＰＷ４は、アナログ電子時計の文字板を含む画像である。変形例における指針文字板情報は、制御部３５により、指針群２６ｂ〜２６ｅの現在表示位置を検出する際に、利用することができるものであり、指針群２６ｂ〜２６ｅ、文字板２６ａおよびインデックス２６ｆの輪郭画像であり、パターンマッチング処理において、輪郭画像に基づいて幾何学形状情報を抽出する。注意表示画像ＰＭ２は、例えば、「自分の時計を選んで下さい」と表示する。制御部３５は、ユーザーにより、複数のアナログ電子時計識別画像ＰＷ１〜ＰＷ４のいずれかが押下されたか否かを判断し、押下された、すなわち操作入力されたと判断すると、操作入力位置に対応する選択されたアナログ電子時計識別画像ＰＷ１〜ＰＷ４に関連する指針文字板情報を撮像部３１によりアナログ表示部２６を撮像する際に、表示面３２ａにリアルタイムに撮像されているアナログ表示部２６に重畳して表示する。例えば、選択されたアナログ電子時計識別画像ＰＷ１〜ＰＷ４の文字板２６ａおよびインデックス２６ｆの輪郭画像を半透明として、表示面３２ａに表示する。したがって、ユーザーは、アナログ表示部２６を撮像部３１により撮像する際に、表示される指針群および文字板の輪郭画像にアナログ表示部２６の指針群２６ｂ〜２６ｅ、文字板２６ａおよびインデックス２６ｆを合わせた状態で、アナログ表示部２６を撮像することができる。これにより、制御部３５は、識別エリアＡＳ〜ＡＤを決定する前に、指針文字板画像Ｐにおける文字板２６ａに対応する画像の状態、例えば上下方向、回転角度などを決定することができる。また、制御部３５は、時計内部時刻情報および選択されたアナログ電子時計識別画像ＰＷ１〜ＰＷ４に関連する形状情報に基づいて識別エリアＡＳ，ＡＭ，ＡＨ，ＡＤを決定する。つまり、制御部３５は、識別エリアＡＳ〜ＡＤを決定する前に、撮像部３１に対するアナログ表示部２６の相対位置関係を把握することができ、識別エリアＡＳ〜ＡＤを決定する時間を短くすることができるので、表示時刻補正に要する時間をさらに削減することができる。さらに、制御部３５は、複数のアナログ電子時計識別画像ＰＷ１〜ＰＷ４のうち、操作入力位置に対応する選択されたアナログ電子時計識別画像ＰＷ１〜ＰＷ４と関連する指針文字板情報に基づいて識別エリアＡＳ，ＡＭ，ＡＨ，ＡＤ内における指針群２６ｂ〜２６ｅの現在表示位置を検出する。これにより、制御部３５は、指針群２６ｂ〜２６ｅの現在表示位置を検出する際に、指針文字板情報を用いて画像処理を行うことができるので、指針群２６ｂ〜２６ｅの現在表示位置の検出時間を短くすることができ、表示時刻補正に要する時間をさらに削減することができる。なお、指針文字板情報は、形状情報のみならず、他の情報を含んでいてもよい。指針文字板情報は、例えば、指針群２６ｂ〜２６ｅ、文字板２６ａ、インデックス２６ｆの色などの色情報を含んでいてもよい。色情報を含むことで、各識別エリアＡＳ〜ＡＤにおける各画素の色に関する情報から幾何学形状情報を容易に抽出することができる。なお、制御部３５は、注意表示画像ＰＭ２を表示面３２ａに対して表示することと、併せて、あるいは別に、音声などのユーザーに対する報知手段により、複数のアナログ電子時計識別画像ＰＷ１〜ＰＷ４のうち１つを選択する操作入力を促してもよい。
【００７２】
なお、変形例におけるアナログ電子時計システム１においては、アナログ電子時計ごとの指針文字板情報を外部から予め取得してもよい。この場合において制御部３５は、ユーザーが所持しているアナログ電子時計２に対応する指針文字板情報を取得することがこのましい。例えば、制御部３５は、アプリを最初にインストールする時や、アプリ更新時に、ユーザーにアナログ電子時計２のムーブメントの製品番号を示すキャリバーナンバーをタッチパネル部３２の操作に基づいて、あるいはマイク３９ａによる音声に基づいて入力することを促す注意表示画像を表示面３２ａに対して表示し、ユーザーにより入力されたキャリバーナンバーに対応する１以上の指針文字板情報を、外部にある予め製品化されたアナログ電子時計の指針文字板情報を記憶しているサーバに対して要求する。制御部３５は、要求に応じて外部サーバから取得した１以上の指針文字板情報を記憶部３７に記憶する。ここで、ユーザーにおいてキャリバーナンバーが不明の場合は、外装番号であってもよい。各外装番号は、１種類のアナログ電子時計に対応するものである。従って、制御部３５は、外装番号に基づいて外部サーバから指針文字板情報を取得する場合において、１種類のアナログ電子時計に対応する１つの指針文字板情報を記憶部３７に記憶することとなる。また、ユーザーにおいて所持しているアナログ電子時計２に対応する各種番号が不明の場合は、アナログ電子時計２の属性（文字板２６ａの大きさ、インデックス等の表示態様、日窓２６ｇの位置など）に基づいて、に基づいて外部サーバから指針文字板情報を取得する。
【００７３】
例えば、表示面３２ａに表示された指針文字板画像Ｐがユーザーの所持するアナログ電子時計２の文字板２６ａ及び指針群２６ｂ〜２６ｅを含む指針文字板と合致しない場合は、文字板２６ａの大きさ、小レジスターの有無、文字板２６ａにおける「時」の文字の種類（バーインデックス、算用数字、ローマ数字）の順でユーザーに選択させることを促す表示を表示面３２ａに表示し、ユーザーが所持するアナログ電子時計２に対応する指針文字板情報を取得する。
【００７４】
また、上記実施形態および変形例（以下、単に「実施形態等」ともいう）におけるアナログ電子時計システム１においては、表示時刻補正処理の際に、アナログ電子時計２の時計内部時刻を端末機器３の端末内部時刻により補正してもよい。
【００７５】
また、上記実施形態等においては、各指針群２６ｂ〜２６ｅの表示時刻補正を行う場合について説明したが、これに限定されるものではなく、各指針群２６ｂ〜２６ｅのうち、時計内部時刻情報に基づいた指針群２６ｂ〜２６ｅの予定表示位置と現在表示位置とが大きくずれるおそれがあるもの、例えば、秒針２６ｂおよび分針２６ｃのみの表示時刻補正を行ってもよい。
【００７６】
また、上記実施形態等において、回転停止状態における３針２６ｂ〜２６ｄの表示位置が近接している場合は、３針２６ｂ〜２６ｄのうち、近接している指針における識別エリアＡＳ〜ＡＨの回転方向における長さを狭めてもよい。ここでは、近接している指針のうち、１回の回転量が多い指針に対応する識別エリアよりも、１回の回転量が少ない指針に対応する識別エリアの回転方向における長さを狭めることが好ましい。
【００７７】
また、上記実施形態等において、回転停止状態における３針２６ｂ〜２６ｄの表示位置が近接している場合は、３針２６ｂ〜２６ｄのうち、近接している指針を互いに離間させるように回転させてから、表示時刻補正を行ってもよい。この場合、制御部３５は、時計内部時刻を取得後、３針２６ｂ〜２６ｄの表示位置が近接しているか否かを判断し、近接していると判断した場合は、仮想時刻情報を制御部２３に出力する。制御部２３は、仮想時刻情報に基づいて駆動機構部２５の各ステップモータ２５ａ〜２５ｃに対してモータ駆動回路２３ｂが駆動信号を出力して、回転停止している指針群２６ｂ〜２６ｅを仮想時刻情報に基づく表示位置まで回転させる。制御部３５は、仮想時刻情報と、現在表示時刻情報とに基づいて表示時刻補正情報を生成し、制御部２３が表示時刻補正情報に基づいて指針群２６ｂ〜２６ｅの表示位置を補正した後、回転停止した際の表示位置まで指針群２６ｂ〜２６ｅを回転させて、時計内部時刻情報に基づいて指針群２６ｂ〜２６ｅの回転を再開する。これにより、制御部３５は、指針群２６ｂ〜２６ｅの現在表示位置を確実に検出することができるので、表示時刻補正を確実に行うことができる。
【００７８】
また、上記実施形態等における制御部３５は、３針群２６ｂ〜２６ｄの現在表示位置を検出できない場合に、アプリを終了するがこれに限定されるものではなく、３針２６ｂ〜２６ｄのうち少なくともいずれかを回転させて、再度ユーザーが撮像部３１による撮像を行い、再度指針文字板画像Ｐを生成し、指針文字板画像Ｐに基づいて表示時刻補正を行ってもよい。例えば、制御部３５は、３針２６ｂ〜２６ｄのうち、現在表示位置を検出できない指針を回転させて、再度ユーザーが撮像部３１による撮像を行い、再度指針文字板画像Ｐを生成し、指針文字板画像Ｐに基づいて現在表示位置を検出できない指針に対する表示時刻補正を行ってもよい。つまり、再度撮像部３１により撮像することで、アナログ電子時計２に対する撮像を連続的に行い、時系列的に連続する複数の指針文字板画像Ｐに基づいて、表示時刻補正を行ってもよい。具体的には、３針群２６ｂ〜２６ｄはそれぞれ時間経過に対する移動量が異なるため、連続する指針文字板画像Ｐにおいてそれぞれの差異部分から移動量と時間経過とを求め、３針２６ｂ〜２６ｄそれぞれの移動量に合致するかを判断し、指針位置を検出してもよい。これにより、表示面３２ａに生じた不必要な映り込みや文字板２６ａ上の「時」の文字に対して、３針２６ｂ〜２６ｄの分別が容易になり、３針２６ｂ〜２６ｄの種別と位置を正確に検出でき、表示時刻の補正が可能になる。この場合は、制御部３５は、ユーザーにすぐに再度撮影することを促す、またはユーザーに所定時時間経過後に再度撮影することを促す注意表示画像を表示面３２ａに対して表示することが好ましい。撮像部３１による撮影に時間的な間隔が発生するため、外光による反射など撮影環境が変化させることができるので、誤検出などを抑制することができ、検出精度を向上することができる。なお、制御部３５は、ユーザーに再度撮影することを促す際に、併せて撮影環境を変えることを促す注意表示画像を表示面３２ａに対して表示してもよい。
【００７９】
また、現在表示位置を検出できない場合において指針を回転させる際は、３針２６ｂ〜２６ｄの進み方向と遅れ方向との回転を交互に繰り返すように動作させ、それに伴い指針文字板画像Ｐの撮像を連続的に行うことで、３針２６ｂ〜２６ｄの検出を容易にできる。また、３針２６ｂ〜２６ｄの検出に失敗した時には、失敗した回数に応じて進み方向と遅れ方向の回転量を段階的に大きくするとともに、撮影の回数も増やすことで、指針の検出確率を向上させることができる。
【００８０】
また、上記実施形態におけるアナログ電子時計２は、時計内部時刻情報を送信する前に、アナログ電子時計２の状態に関する時計状態情報を端末機器３に送信してもよい。ここで、時計状態情報とは、警告運針状態、パワーセーブ状態、パワーブレイク状態など、電池容量が低下しており、指針群２６ｂ〜２６ｅが通常の回転と異なる回転の状態、または回転が停止している状態に関する情報である。制御部３５は、時計状態情報を取得し、指針群２６ｂ〜２６ｅが通常の回転を行っていない場合に、アナログ電子時計２の充電をユーザーに促す注意表示画像を合わせて表示面３２ａに対して表示しアプリを終了してもよい。この場合、制御部３５は、指針群２６ｂ〜２６ｅが通常の回転に復帰することで、時計状態情報を取得するまで、アプリの使用を禁止することが好ましい。
【００８１】
具体的には、電池電圧が規定量より低下するとユーザーに充電を促すため、２秒間隔で２秒分の距離を秒針２６ｂが間欠的に移動する警告運針を、一定時間行う。このようにユーザーに対して注意や警告を、通常とは異なる運針で示す状態を、警告運針状態と呼ぶ。警告運針状態では、秒針２６ｂの回転速度が通常の倍以上になるため、端末機器３で文字板２６ａを撮影する際に、秒針２６ｂに対応する画像がぶれて秒針２６ｂの表示位置を認識することが困難になる。従って、アナログ電子時計２が警告運針状態に移行する直前に、警告運針状態であることを時計状態情報として端末機器３に送ることで、指針群２６ｂ〜２６ｅの表示位置検出を実施させない、すなわち表示位置検出を禁止するように制御するため、電力消費を抑制できる。あるいは、アナログ電子時計２が警告運針状態である通知を受けた端末機器３は、高速回転する秒針２６ｂがぶれないように撮像部３１の露出とシャッター速度を変更して、指針文字板画像Ｐを生成し、表示位置検出を行ってもよい。電池電圧が規定電圧以上に復帰したときにアナログ電子時計２は、端末機器３に対して警告運針状態から通常状態に移行することを示す時計状態情報を通知し、これを受けた端末機器３は指針群２６ｂ〜２６ｅの表示位置検出の禁止を解除し、撮像部３１の設定を変更した場合は通常の設定に戻す。
【００８２】
また、警告運針状態のまま発電が検出できない期間が一定時間続くか、または電池電圧が規定電圧よりも低下すると、秒針２６ｂの回転を停止させて消費電力を低減するパワーセーブ状態に移行する。このとき秒針２６ｂは、定まった位置、例えば文字板２６ａの１２時を指す位置に停止しているため、端末機器３がアナログ電子時計２から受け取る時計内示部時刻情報に対応する時計内部時刻に基づいた秒針２６ｂの表示位置と異なる。従って、アナログ電子時計２がパワーセーブ状態に移行する直前に、パワーセーブ状態に移行することを時計状態情報として端末機器３に送ることで、指針群２６ｂ〜２６ｅの表示位置検出を禁止するように制御するため、電力消費を抑制できる。また、端末機器３は、時計状態情報に基づいてアナログ電子時計２がパワーセーブ状態であると判断すると、識別エリアＡＤを秒針２６ｂが停止している定まった位置に限定して、指針群２６ｂ〜２６ｅの表示位置検出を行ってもよい。この際、端末機器３は、表示面３２ａに充電を促すメッセージやアイコンを表示してもよい。電池電圧が規定電圧以上に復帰したときにアナログ電子時計２は、端末機器３にパワーセーブ状態から通常状態に移行したことを示す時計状態情報を通知し、これを受けた端末機器３は、指針群２６ｂ〜２６ｅの表示位置検出の禁止を、あるいは識別エリアＡＤの限定を解除する。
【００８３】
また、パワーセーブ状態のまま発電が検出できない期間が一定時間続くか、電池電圧がさらに低い規定量よりも低下すると、駆動機構部２５および制御部２３を停止、すなわち給電を禁止させるパワーブレイク状態に移行する。このときアナログ電子時計２は、時計内部時刻情報に関する情報をリセットし、端末機器３との通信回路である通信部２２を停止する。従って、アナログ電子時計２がパワーブレイク状態に移行する直前に、パワーブレイク状態に移行することを時計状態情報として端末機器３に送ることで、指針群２６ｂ〜２６ｅの表示位置検出を禁止するように制御するため、電力消費を抑制できる。この際、端末機器３は、時計状態情報に基づいてアナログ電子時計２がパワーブレイク状態であると判断すると、表示面３２ａに充電を促すメッセージやアイコンを表示してもよい。電池電圧が規定電圧以上に復帰したときにアナログ電子時計２は、端末機器３にパワーブレイク状態から通常状態に移行したことを示す時計状態情報を通知し、これを受けた端末機器３は、指針群２６ｂ〜２６ｅの表示位置検出の禁止を解除する。
【００８４】
また、上記実施形態等では、撮像部３１がユーザーによりシャッターの押下後に、アナログ表示部２６を１回撮像することで、指針文字板画像Ｐを生成するがこれに限定されるものではない。撮像部３１は、アナログ表示部２６を撮像する際に、撮像条件を変更し複数回撮像することで、複数の指針文字板画像Ｐを生成してもよい。例えば、制御部３５は、生成された複数の指針文字板画像Ｐを合成する画像処理を行うことで、１つの指針文字板画像Ｐを生成してもよい。これにより、制御部３５による各識別エリアＡＳ〜ＡＤの決定および指針群２６ｂ〜２６ｅの現在表示位置の検出に適した指針文字板画像Ｐを生成することができる。
【００８５】
また、例えば、制御部３５は、各識別エリアＡＳ〜ＡＤにそれぞれ対応して指針文字板画像Ｐを生成してもよい。この場合は、制御部３５は、撮像部３１によりアナログ表示部２６を撮像する際に、各指針群２６ｂ〜２６ｅにそれぞれ対応した被写界深度が異ならせて４回撮像する。文字板２６ａ（日板２６ｅ）に対して、時針２６ｄ、分針２６ｃ、秒針２６ｂの順で上側に位置している。従って、各撮像の際の被写界深度は、秒針２６ｂ、分針２６ｃ、時針２６ｄ、文字板２６ａ（日板２６ｅ）の順で深くし、各指針群２６ｂ〜２６ｅにそれぞれピントが合うように設定される。つまり、秒針２６ｂに対応する被写界深度で撮像されて生成された指針文字板画像Ｐに基づいて識別エリアＡＳを決定し、分針２６ｃに対応する被写界深度で撮像されて生成された指針文字板画像Ｐに基づいて識別エリアＡＭを決定し、時針２６ｄに対応する被写界深度で撮像されて生成された指針文字板画像Ｐに基づいて識別エリアＡＨを決定し、日板２６ｅに対応する被写界深度で撮像されて生成された指針文字板画像Ｐに基づいて識別エリアＡＤを決定する。従って、各識別エリアＡＳ〜ＡＤにおける各指針群２６ｂ〜２６ｅは、それぞれピントが合った状態となるため、１つの指針文字板画像Ｐから決定された各識別エリアＡＳ〜ＡＤを検出対象とする場合と比較して、誤検出などを抑制することができ、検出精度を向上することができる。また、アナログ電子時計システム１は、指針群２６ｂ〜２６ｅの現在表示位置を検出するための画像処理時間を削減することができるので、表示時刻補正に要する時間をさらに削減することができる。ここで、制御部３５は、撮像部３１によりアナログ表示部２６を撮像する際に、被写界深度の設定を予め浅く、すなわち撮像開始時に秒針２６ｂとピントが合うようにしておくことが好ましい。この場合は、各指針群２６ｂ〜２６ｅにそれぞれ対応した撮像する際に、段階的に、被写界深度を深くすることとなる。なお、制御部３５は、撮像部３１によりアナログ表示部２６を撮像する際に、被写界深度の設定を予め深く、すなわち撮像開始時に時針２６ｃ、あるいは日板２６ｅとピントが合うようにしておいてもよい。
【００８６】
また、例えば、制御部３５は、画素数が異なる複数の指針文字板画像Ｐを生成してもよい。この場合は、制御部３５は、まず、画素数の少ない指針文字板画像Ｐに基づいて各識別エリアＡＳ〜ＡＤを決定し、各指針群２６ｂ〜２６ｅの現在表示位置を検出し、画素数の少ない指針文字板画像Ｐに基づいて各指針群２６ｂ〜２６ｅの現在表示位置を検出できない場合に、画素数の多い指針文字板画像Ｐに基づいて各識別エリアＡＳ〜ＡＤを決定し、各指針群２６ｂ〜２６ｅの現在表示位置を検出することとなる。アナログ電子時計システム１は、まず画素数の少ない指針文字板画像Ｐ、すなわち画像処理時間が短い指針文字板画像Ｐに基づいて指針群２６ｂ〜２６ｅの現在表示位置を検出するので、画像処理時間を削減することができる。
【００８７】
なお、上記実施形態における制御部３５は、各識別エリアＡＳ〜ＡＤに基づいて指針群２６ｂ〜２６ｅの現在表示位置を検出する前に、事前識別エリアに基づいて非識別エリア内に指針群２６ｂ〜２６ｅがないことを検出してもよい。ここで、事前識別エリアとは、文字板２６ａに対する秒針２６ｂ、分針２６ｃ、時針２６ｄの時計内部時刻情報に基づいたそれぞれの予定表示位置を除くことを条件に決定される識別エリアである。つまり、事前識別エリアは、文字板２６ａに対して３針２６ｂ〜２６ｄが位置しないと時計内示部時刻情報に基づいて予測できる識別エリアである。例えば、事前識別エリアは、秒針２６ｂ、分針２６ｃ、時針２６ｄの各予定表示位置または各予定表示位置を含む所定エリア（３針２６ｂ〜２６ｄの回転速度を考慮した回転方向における長さとなるエリア）を除く識別エリアである。制御部３５は、事前識別エリア内に３針２６ｂ〜２６ｄが位置しないことを判定した場合に、識別エリア内ＡＳ〜ＡＣにおいて３針２６ｂ〜２６ｄがそれぞれ位置することが確実となるので、パターンマッチング処理においてマッチングの程度が低い場合であっても、識別エリア内ＡＳ〜ＡＣ内において３針２６ｂ〜２６ｄを検出できることとなる。これにより、誤検出などを抑制することができ、検出精度を向上することができる。
【符号の説明】
【００８８】
１  アナログ電子時計システム
２  アナログ電子時計
２１  アンテナ（時計側通信部）
２２  通信部（時計側通信部）
２３  制御部（時計側制御部）
２５  駆動機構部
２６  アナログ表示部
２６ａ  文字板
２６ｂ  秒針
２６ｃ  分針
２６ｄ  時針
２６ｅ  日板
２６ｆ  インデックス
３  端末機器
３１  撮像部
３２  タッチパネル部
３２ａ  表示面
３３  アンテナ（端末側通信部）
３４  通信部（端末側通信部）
３５  制御部（端末側制御部）
Ｔ  インデックス位置
Ｐ  指針文字板画像
ＰＭ１，ＰＭ２  注意表示画像
ＰＷ１〜ＰＷ４  アナログ電子時計識別画像
【図１】
2018181467.tif 000003
【図２】
2018181467.tif 000004
【図３】
2018181467.tif 000005
【図４】
2018181467.tif 000006
【図５】
2018181467.tif 000007
【図６】
2018181467.tif 000008
【図７】
2018181467.tif 000009
【図８】
2018181467.tif 000010
【図９】
2018181467.tif 000011
【図１０】
2018181467.tif 000012
【図１１】
2018181467.tif 000013
【図１２】
2018181467.tif 000014
【国際調査報告】
2018181467.tif 000015
2018181467.tif 000016
2018181467.tif 000017